(57)【要約】【課題】チャイルドレジスタント機能を持たせつつ、コストを抑えることが可能なキャップ付き容器を提供する。【解決手段】本発明のキャップ付き容器において、容器本体１は、口部５の根元に設けられる外向き突起８を備え、キャップ１１は、口部５に装着されて容器本体１を閉栓する内キャップ１２と、外筒１８の内周面に設けられる内向き突起１９を有する外キャップ１３と、内キャップ１２と外キャップ１３を一体に連結する弾性部２３とを備え、内キャップ１２によって容器本体１が閉栓された状態においては外向き突起８が内向き突起１９に係合して外キャップ１３が回り止めされる一方、外キャップ１３を引き上げた際には弾性部２３が弾性変形し、内キャップ１２に対して外キャップ１３が上方に移動して外向き突起８と内向き突起１９との係合が解除されて外キャップ１３の回転が許容される。【選択図】図１
2019011093.tif 000002
【特許請求の範囲】
【請求項１】
上方を開放した口部を有する容器本体と、該口部に装着されるキャップとを備えるキャップ付き容器であって、
前記容器本体は、前記口部の外周面に設けられる雄ねじ部と、該口部の根元に設けられる外向き突起とを備え、
前記キャップは、前記雄ねじ部に適合する雌ねじ部を有し前記口部に装着されて前記容器本体を閉栓する内キャップと、該内キャップを取り囲む外筒、及び該外筒の内周面に設けられる内向き突起を有する外キャップと、該内キャップと該外キャップを一体に連結する弾性部とを備えるものであって、
前記内キャップによって前記容器本体が閉栓された状態においては前記外向き突起が前記内向き突起に係合して該外キャップが回り止めされる一方、該外キャップを引き上げた際には該弾性部が弾性変形し、これに伴い該内キャップに対して該外キャップが上方に移動して該外向き突起と該内向き突起との係合が解除されて該外キャップの回転が許容されるキャップ付き容器。
【請求項２】
前記内向き突起は、前記外筒に連結する外縁部と該外縁部よりも径方向内側に位置して前記外向き突起に係合する内縁部とを備えるとともに、該内縁部が前記雄ねじ部と前記雌ねじ部が締まる向きに対して該外縁部よりも後方に位置するように傾斜している請求項１に記載のキャップ付き容器。
【請求項３】
前記外キャップは、前記外筒の外周面に設けられ該外キャップを引き上げる際の指掛かりとなる凸部を有する請求項１又は２に記載のキャップ付き容器。
【請求項４】
前記キャップは、前記外キャップに保持される蓋体を更に備え、
前記内キャップは、前記口部の上方に位置する天壁と、該天壁に一体に連結するとともに前記雌ねじ部を有する内筒と、該内筒の外周面において上下方向に延在する第１縦溝又は第１縦リブとを有し、
前記蓋体は、前記天壁を覆う頂壁と、該頂壁に一体に連結するとともに前記外筒の内周面に沿って延在する環状壁と、該環状壁の内周面に設けられ前記外キャップを引き上げた際に前記第１縦溝又は第１縦リブに対して上下動可能な第２縦リブ又は第２縦溝を有する請求項１〜３の何れか一項に記載のキャップ付き容器。
【発明の詳細な説明】
【技術分野】
【０００１】
本発明は、容器本体と、容器本体に装着されるキャップとを有するキャップ付き容器に関するものであり、特に幼児等が偶発的に開栓してしまうことを防止するチャイルドレジスタント機能を有する容器に関する。
【背景技術】
【０００２】
従来、上方を開放した口部を有する容器本体と、この口部に装着されるキャップとを備えるキャップ付き容器にあっては、例えばキャップを押し下げたり引き上げたりしなければこれを回転できないように構成して、幼児等が偶発的にキャップを開栓してしまうことを防止するチャイルドレジスタント機能をもたせたものがある。
【０００３】
例えば特許文献１には、容器本体に装着されるキャップとして、外蓋と内蓋とで構成され、内蓋は、容器の雄ねじ部に適合する雌ねじ部を有し、外蓋は、弾性片によって内蓋に対して上方に付勢され、付勢力に抗して外蓋を下方に押し下げることにより外蓋と内蓋とが一体的に回転するように構成したキャップ付き容器が開示されている。
【先行技術文献】
【特許文献】
【０００４】
【特許文献１】特開２０１６−２０４０２１号公報
【発明の概要】
【発明が解決しようとする課題】
【０００５】
ところでこの種の容器においては、特許文献１のように、外蓋と内蓋とを組み合わせてキャップを構成することが一般的である。すなわち、部品点数が増えることからコストが嵩むという問題を抱えている。また外蓋に付勢力を与える弾性片は、外蓋の内側に形成されるため、これを合成樹脂で形成するにあたっては、金型の構造が複雑になり、更にコストの増大に拍車をかけている。
【０００６】
本発明は、このような問題点を解決することを課題とするものであり、チャイルドレジスタント機能を持たせつつ、部品点数の削減や構造の簡素化によってコストを抑えることが可能なキャップ付き容器を提供することを目的とする。
【課題を解決するための手段】
【０００７】
本発明は、上方を開放した口部を有する容器本体と、該口部に装着されるキャップとを備えるキャップ付き容器であって、
前記容器本体は、前記口部の外周面に設けられる雄ねじ部と、該口部の根元に設けられる外向き突起とを備え、
前記キャップは、前記雄ねじ部に適合する雌ねじ部を有し前記口部に装着されて前記容器本体を閉栓する内キャップと、該内キャップを取り囲む外筒、及び該外筒の内周面に設けられる内向き突起を有する外キャップと、該内キャップと該外キャップを一体に連結する弾性部とを備えるものであって、
前記内キャップによって前記容器本体が閉栓された状態においては前記外向き突起が前記内向き突起に係合して該外キャップが回り止めされる一方、該外キャップを引き上げた際には該弾性部が弾性変形し、これに伴い該内キャップに対して該外キャップが上方に移動して該外向き突起と該内向き突起との係合が解除されて該外キャップの回転が許容されるキャップ付き容器である。
【０００８】
前記内向き突起は、前記外筒に連結する外縁部と該外縁部よりも径方向内側に位置して前記外向き突起に係合する内縁部とを備えるとともに、該内縁部が前記雄ねじ部と前記雌ねじ部が締まる向きに対して該外縁部よりも後方に位置するように傾斜していることが好ましい。
【０００９】
前記外キャップは、前記外筒の外周面に設けられ該外キャップを引き上げる際の指掛かりとなる凸部を有することが好ましい。
【００１０】
前記キャップは、前記外キャップに保持される蓋体を更に備え、
前記内キャップは、前記口部の上方に位置する天壁と、該天壁に一体に連結するとともに前記雌ねじ部を有する内筒と、該内筒の外周面において上下方向に延在する第１縦溝又は第１縦リブとを有し、
前記蓋体は、前記天壁を覆う頂壁と、該頂壁に一体に連結するとともに前記外筒の内周面に沿って延在する環状壁と、該環状壁の内周面に設けられ前記外キャップを引き上げた際に前記第１縦溝又は第１縦リブに対して上下動可能な第２縦リブ又は第２縦溝を有することが好ましい。
【発明の効果】
【００１１】
本発明のキャップ付き容器は、容器本体が閉栓された状態においては外向き突起が内向き突起に係合して外キャップが回り止めされる一方、外キャップを引き上げれば外向き突起と内向き突起との係合が解除されてこれを回転させることが可能になる。従って本発明によれば、幼児等が偶発的にキャップを開栓してしまう不具合を防止することができる。また、内キャップと外キャップは弾性部によって一体に連結していて一部品として構成されているため、部品点数を削減することができ、更に、従来のように外キャップの内側に弾性片を設ける必要がなく、構造も簡素化することができるため、コストを抑えることが可能になる。
【００１２】
また、上述した内向き突起が、雄ねじ部と雌ねじ部が締まる向きに対して内縁部が外縁部よりも後方に位置するように傾斜している場合は、外キャップを引き上げずに締め付け方向に回転させても、内向き突起は外向き突起を乗り越えることができる。一方、外キャップを緩み方向に回転させようとする場合は、外キャップを引き上げない状態では内向き突起が外向き突起に引っ掛かって回転が阻止される。すなわち、このような内向き突起を設けることによって、容器本体を開栓する際のチャイルドレジスタント機能を維持しつつ、キャップを容器本体に装着する際には通常のキャップのように回転させるだけでよくなる。
【００１３】
また外キャップが、外筒の外周面に設けられ外キャップを引き上げる際の指掛かりとなる凸部を備える場合は、外キャップを回転させるにあたって、これを引き上げた状態にしておくことが容易になるため、内キャップを開栓する作業が行いやすくなる。
【００１４】
そしてキャップに、上述した構成の蓋体を更に設ける場合は、蓋体の頂壁と環状壁によって外キャップの剛性を高めることができる。
【図面の簡単な説明】
【００１５】
【図１】本発明に従うキャップ付き容器の第１実施形態につき、内キャップによって容器本体が閉栓された状態での側面視での半断面図である。
【図２】図１に示すＡ−Ａに沿う断面図である。
【図３】図１に示すキャップ付き容器において、キャップを容器本体から取り外す状況を示す図であって、外キャップを引き上げて、更に雄ねじ部と雌ねじ部が緩む方向に回転させる状況を示す半断面図である。
【図４】図１に示すキャップ付き容器において、キャップを容器本体に装着する状況を示す図であって、雄ねじ部と雌ねじ部が締まる方向に外キャップを回転させる状況を示す半断面図である。
【図５】本発明に従うキャップ付き容器の第２実施形態につき、内キャップによって容器本体が閉栓された状態での側面視での半断面図である。
【図６】図５に示すキャップ付き容器において、キャップを容器本体から取り外す状況を示す図であって、外キャップを引き上げて、更に雄ねじ部と雌ねじ部が緩む方向に回転させる状況を示す半断面図である。
【図７】図５に示すキャップ付き容器において、キャップを容器本体に装着する状況を示す図であって、雄ねじ部と雌ねじ部が締まる方向に外キャップを回転させる状況を示す半断面図である。
【図８】本発明に従うキャップ付き容器の変形例を示す図であって、（ａ）は第１実施形態の変形例であり、（ｂ）は第２実施形態の変形例である。
【発明を実施するための形態】
【００１６】
以下、図面を参照しながら本発明に従うキャップ付き容器の一実施形態について説明する。なお、本明細書等における「上」、「下」の関係は、容器本体を水平面に載置した状態での向きをいう。
【００１７】
図１〜図４は、本発明に従うキャップ付き容器の第１実施形態を示している。図１に示すように本実施形態のキャップ付き容器は、容器本体１と、キャップ１１とを備えている。
【００１８】
図１に示すように容器本体１は、円板状をなす底部２と、底部２の外縁部に一体に連結する円筒状の胴部３と、胴部３の上端部から径方向内側に向けて延在する肩部４と、肩部４に一体に連結するとともに上方を開放した口部５とを備えている。本実施形態の口部５は、肩部４の内縁部から上方に向けて延在した後、更に径方向内側に向けて延在する口部下部分６と、口部下部分６の内縁部から立ち上がり、上方を開放した円筒状に形成される口部上部分７とで構成されている。口部下部分６の外周面には、径方向外側に向けて突出する外向き突起８が設けられている。本実施形態の外向き突起８は、図２に示すように、周方向に等間隔で合計４個設けられている。また口部上部分７の外周面には、雄ねじ部９が設けられている。
【００１９】
キャップ１１は、口部５に装着されて容器本体１を閉栓する内キャップ１２と、内キャップ１２の径方向外側に設けられる外キャップ１３とを備えている。
【００２０】
内キャップ１２は、口部上部分７の上方に位置する円板状の天壁１４と、天壁１４の下面に連結するとともに口部上部分７の内周面に当接する環状のシール壁１５と、円筒状をなし、口部上部分７を取り囲むとともに天壁１４の外縁部に連結する内筒１６と、内筒１６の内周面に設けられ、雄ねじ部９に適合する形状になる雌ねじ部１７とを備えている。なお本実施形態においては、図２に示すように、上方から下方向かって視る状態において時計回りにキャップ１１を回転させると、雄ねじ部９と雌ねじ部１７が締まるように構成している。
【００２１】
外キャップ１３は、図１に示すように、内キャップ１２の径方向外側に設けられる円筒状の外筒１８を備えている。外筒１８の内周面には、上下方向に長く延在する内向き突起１９が設けられている。ここで内向き突起１９は、図２に示すように、外筒１８に連結する外縁部２０と外縁部２０よりも径方向内側に位置する内縁部２１とを備えていて、内縁部２１が雄ねじ部９と雌ねじ部１７が締まる向きに対して外縁部２０よりも後方に位置するように傾斜している。また、図１に示すように外筒１８の上方における外周面には、径方向外側に向けて突出する環状の凸部２２が設けられている。
【００２２】
このような内キャップ１２と外キャップ１３とを備えるキャップ１１は、更に内キャップ１２と外キャップ１３とを一体に連結する弾性部２３を備えている。本実施形態の弾性部２３は、薄肉状であって、内筒１６の上端部と外筒１８の上端部とを全周に亘って連結している。なお、弾性部２３はこのような実施形態に限られるものではなく、例えば内キャップ１２と外キャップ１３とを周方向に間欠状に連結するものであってもよい。また、内筒１６と外筒１８の上下方向中間部同士を連結するものであってもよい。更に、インサート成形や二色成形等の技術を用いて、内キャップ１２と外キャップ１３は剛性の高い合成樹脂で形成し、弾性部２３は可撓性を有する軟質材で形成してもよい。
【００２３】
このような構成になるキャップ付き容器において、図１に示すように内キャップ１２を口部５に装着した状態にあっては、雄ねじ部９と雌ねじ部１７が緩む向きに外キャップ１３を回転しようとしても、外向き突起８に内向き突起１９が係合するため、その回転が阻止される。すなわち、容器本体１が偶発的に開栓される不具合を防止することができる。
【００２４】
一方、図３に示すように外キャップ１３を引き上げると、弾性部２３が弾性変形して外キャップ１３が上方に移動するため、外向き突起８と内向き突起１９との係合が解除されて、雄ねじ部９と雌ねじ部１７が緩む向きに外キャップ１３を回転することが可能になる。なお本実施形態においては、外キャップ１３に凸部２２を設けているため、凸部２２が指掛かりとなって外キャップ１３の引き上げが容易に行えるうえ、外キャップ１３を引き上げたまま回転させることも容易に行うことができる。
【００２５】
そして、図４に示すように取り外したキャップ１１を容器本体１に装着するにあたっては、雄ねじ部９と雌ねじ部１７が締まる向きに外キャップ１３を回転すればよい。本実施形態のキャップ付き容器における内向き突起１９は、図２に示すように、内縁部２１が雄ねじ部９と雌ねじ部１７が締まる向きに対して外縁部２０よりも後方に位置するように傾斜しているため、外キャップ１３を引き上げずに締め付け方向に回転させても、内向き突起１９は外向き突起８を乗り越えることができる。すなわち、通常のキャップのように外キャップ１３を回転させるだけで容器本体１を閉栓することができる。
【００２６】
次に、図５〜図７を参照しながら、本発明に従うキャップ付き容器の第２実施形態について説明する。なお、上述した実施形態と同様の機能を有する部分については、図面に同一の符号を付して説明は省略する。
【００２７】
図５に示すように、本実施形態のキャップ付き容器における内キャップ１２は、内筒１６の外周面に、上下方向に延在する縦溝（第１縦溝）２４を備えている。また外キャップ１３の上方における内周面には、図５の拡大図に示すように、径方向内側に突出する内向き凸部２５が設けられている。そして弾性部２３は、先の実施形態では内筒１６と外筒１８の上端部同士を一体に連結していたが、本実施形態では、図５に示すようにそれぞれの下端部近くで内筒１６と外筒１８を一体に連結している。なお、外向き突起８と内向き突起１９の配置は、上述した実施形態と同様に図２に示す通りであって、内向き突起１９は図２に示すように傾斜して設けられている。
【００２８】
また本実施形態においてキャップ１１は、更に蓋体２６を備えている。蓋体２６は、天壁１４を覆う円板状の頂壁２７と、頂壁２７に一体に連結し、外筒１８の内周面に沿って延在するとともに内向き凸部２５によって嵌合保持される環状壁２８を備えている。また環状壁２８の外周面には、図５の拡大図に示すように、内向き凸部２５に係合する爪部２９が設けられている。そして環状壁２８の内周面には、縦溝２４に収まる縦リブ（第２縦リブ）３０が設けられている。なお、縦溝２４に対して縦リブ３０は、上下動可能に設けられている。
【００２９】
このような構成になる蓋体２６は、外筒１８の径方向内側において外キャップ１３に嵌合保持されるため、外キャップ１３の剛性を高めることができる。また蓋体２６は、縦溝２４と縦リブ３０によって回り止めされているため、外キャップ１３に対する周方向位置が変わってしまうことはない。
【００３０】
また図示は省略するが、蓋体２６には注意書きや装飾を目的として文字や図形等を設けてもよい。このように蓋体２６に文字や図形等を設ける場合は、その内容が変更されて別の文字や図形を設けるときにも、蓋体２６を変更するだけで済むため、簡単に対応することができる。また、内キャップ１２及び外キャップ１３とは異なる装飾を施すことも容易であるため、加飾性を向上させることもできる。
【００３１】
このような構成になるキャップ付き容器において、図５に示すように内キャップ１２を口部５に装着した状態にあっては、雄ねじ部９と雌ねじ部１７が緩む向きに外キャップ１３を回転しようとしても、外向き突起８に内向き突起１９が係合して回転が阻止される。すなわち、本実施形態のキャップ付き容器でおいても、容器本体１が偶発的に開栓される不具合を防止することができる。
【００３２】
一方、図６に示すように外キャップ１３を引き上げると、弾性部２３が弾性変形し、それに伴い蓋体２６とともに外キャップ１３が上方に移動する。これにより、外向き突起８と内向き突起１９との係合が解除されて、雄ねじ部９と雌ねじ部１７が緩む向きに外キャップ１３を回転させることができる。
【００３３】
そして、図７に示すように取り外したキャップ１１を容器本体１に装着するにあたっては、内向き突起１９は図２に示すように傾斜しているため、本実施形態にあっても、通常のキャップのように外キャップ１３を回転させるだけで容器本体１を閉栓することができる。
【００３４】
本発明に従うキャップ付き容器は、これまでに説明した実施形態に限られるものではなく、特許請求の範囲に従う範疇で種々の変更を加えたものも含まれる。例えば、外キャップ１３を引き上げる際に指掛かりとして利用した凸部２２は、これまで説明した実施形態では外筒１８の上端部に設けていたが、その位置は任意であって、例えば図８（ａ）、（ｂ）に示すように外筒１８の下端部に設けてもよい。また、上述した第２実施形態においては、図５に示すように、内筒１６の外周面に縦溝（第１縦溝）２４を設けるとともに環状壁２８の内周面に縦リブ（第２縦リブ）３０を設けたが、相互に入れ替えて、内筒１６の外周面に縦リブ（第１縦リブ）を設けるとともに環状壁２８の内周面に縦溝（第２縦溝）を設けてもよい。
【符号の説明】
【００３５】
１：容器本体
２：底部
３：胴部
４：肩部
５：口部
６：口部下部分
７：口部上部分
８：外向き突起
９：雄ねじ部
１１：キャップ
１２：内キャップ
１３：外キャップ
１４：天壁
１５：シール壁
１６：内筒
１７：雌ねじ部
１８：外筒
１９：内向き突起
２０：外縁部
２１：内縁部
２２：凸部
２３：弾性部
２４：縦溝
２５：内向き凸部
２６：蓋体
２７：頂壁
２８：環状壁
２９：爪部
３０：縦リブ
【図１】
2019011093.tif 000003
【図２】
2019011093.tif 000004
【図３】
2019011093.tif 000005
【図４】
2019011093.tif 000006
【図５】
2019011093.tif 000007
【図６】
2019011093.tif 000008
【図７】
2019011093.tif 000009
【図８】
2019011093.tif 000010